(57)【要約】【課題】製造工程が容易であって、頻繁に使用しても彩色図柄と成形物は汚損されない奥行き感のある印鑑基材と印鑑並びに装飾具等を提供することを課題とする。【解決手段】一端が閉塞された透明な筒体１の内周面に彩色図柄７を施し、印面収納台３に台座５を設け該台座５に成形物２を装着し該筒体１の中に挿入し、該印面収納台３の下端部に印面材６を装着し、キャップ１０が取付けられている。【選択図】図１
2007152931.tif 000002
【特許請求の範囲】
【請求項１】
彩色図柄を施した一端が閉塞された透明な筒体に印面収納台付成形物を挿入した印鑑基材及び印鑑。
【請求項２】
成形物に彩色図柄を施した請求項１の印鑑基材及び印鑑。
【請求項３】
成形物に立体小物や平面状物体を貼付した請求項１乃至請求項２の印鑑基材及び印鑑。
【請求項４】
筒体の上端部に凹面があり絵柄シールを貼付した請求項１乃至請求項３の印鑑基材及び印鑑。
【請求項５】
印面収納台に印面材を取り付けた請求項１乃至請求項４の印鑑基材及び印鑑。
【請求項６】
印面収納台に台座を取り付けた請求項１乃至請求項５の印鑑基材及び印鑑。
【請求項７】
印面収納台付成形物が透明な筒体から取り外し可能な請求項１乃至請求項６の印鑑基材及び印鑑。
【請求項８】
印面収納台付成形物の成形物が印面収納台や台座から取り外し可能な請求項１乃至請求項７の印鑑基材及び印鑑。
【請求項９】
印面収納台にキャップを取り付けた請求項１乃至請求項８の印鑑基材及び印鑑。
【請求項１０】
筒体の内周面に彩色図柄を施した請求項１乃至請求項９の印鑑基材及び印鑑。
【請求項１１】
彩色図柄を施した一端が閉塞された透明な筒体に彩色図柄を施した成形物、又は立体小物や平面状物体を貼付した成形物を挿入したことを特徴とする装飾具。
【発明の詳細な説明】
【技術分野】
【０００１】この発明は、印鑑基材と印鑑並びに装飾具等に関するものである。
【背景技術】
【０００２】アクリル樹脂の印鑑も多種類見られるようになった。アクリル樹脂の有底状の筒体に絵柄付きシート体を挿入して流動性樹脂で固化する印鑑基材やそれに類似した印鑑も見られる。【０００３】近年は上端部にキャラクターの成形物付の印鑑が多く見られるようになったが、指で挟持して捺印する際に把手部分のキャラクターの成形物の形状が持ちにくくて不便である上、指の皮脂や汚れが付着して汚損する不都合があった。また、成形物が汚損しても洗えないので見苦しくなっている。【０００４】またキーホルダーのついた成形物付印鑑をカバンに入れた際、チェーン等の金属部分が成形物に接触し、成形物が傷だらけになったことがあった。
【発明の開示】
【発明が解決しようとする課題】
【０００５】流動性樹脂で固化する印鑑基材としては特開２００３−１７５６６２号公報において、透明な筒体とこの筒体の内周面に積層された所定の絵柄を有する絵柄付きシート体と、この絵柄付きシート体の内側に所定の合成樹脂が注入されることによって形成した芯材からなる印鑑基材が提案されている。また、特許第３６３０６６０号には有底状の透明な筒体内に注入する透明な合成樹脂はエポキシ樹脂であることを特徴とするとある。これらの方法は非常に製造工程数が多く、流動性のエポキシ樹脂の注入や温度管理や硬化には数時間を要する上に固化してからも高圧水での水研磨とバフ研磨を要する製造方法である。特に手作業で行うバフ研磨は粉塵が生じるので環境衛生上も好ましくない。また有害性と引火性がある上、環境庁でも内分泌撹乱作用を有すると疑われ、注意を呼びかけられているエポキシ樹脂の使用は避けた方がいい。【０００６】また流動性樹脂で固化しない印鑑基材としては特開２００５−１３８５９９号公報において透明な有底状の筒体と該筒体内に挿入された芯体と該芯体の外周面と筒体の内周面との間に介在した絵柄付きシート体からなる印鑑基材が提案されている。これは簡便な方法だが、仕上がり感に安っぽさが出てしまう。
【課題を解決するための手段】
【０００７】請求項１記載の発明は、彩色図柄を施した一端が閉塞された透明な筒体に印面収納台付成形物を挿入した印鑑基材及び印鑑である。【０００８】この発明によれば、印鑑基材は彩色図柄を施した一端が閉塞された透明な筒体と印面収納台と成形物と印面材を組み立てることにより形成される。よって加工工程の中で昨今健康に有害と懸念されているエポキシ樹脂を充填使用することはない。【０００９】  また、印鑑を頻繁に使用し、筒体の表面が指の摩擦でこすれても、筒体内に収まっている成形物は汚損や破損するような不都合が生じることはなくいつまでも綺麗に保てる。【００１０】請求項２記載の発明は、成形物に彩色図柄を施した請求項１の印鑑基材及び印鑑である。【００１１】この発明によれば彩色図柄を施した透明な筒体に、彩色図柄を施した印面収納台付成形物を挿入すると、印鑑基材の彩色図柄が二層になって見える。これにより遠近感が増して表現力も増大し、オリジナル性を発揮できる印鑑である。【００１２】請求項３記載の発明は、成形物に立体小物や平面状物体を貼付した請求項１乃至請求項２の印鑑基材及び印鑑である。【００１３】この発明によれば、頻繁に使用しても成形物に貼付した立体小物や平面状物体は汚損、破損するような不都合はなく、清潔感のあるアクセサリー感覚の強い印鑑基材及び印鑑である。【００１４】請求項４記載の発明は、筒体の上端部に凹面があり絵柄シールを貼付した請求項１乃至請求項３の印鑑基材及び印鑑である。【００１５】この発明によれば、筒体の上端部に凹面があり絵柄シールの画像を貼ると一段と見栄えも良くなる。又刻面と同じ絵柄の画像にして貼付すれば印面側を見なくても、他人の印鑑との間違いを防ぐことができる上、又筒体の上端部は凹面に成形されているため頻繁に使用しても、この絵柄シールは指の爪に引っかかって剥がれる事はない【００１６】請求項５記載の発明は、印面収納台に印面材を取り付けた請求項１乃至請求項４の印鑑基材及び印鑑である。【００１７】この発明によれば、印面収納台にはいろいろな材質の印面材を装着できる。又必要時に刻面を有する浸透印又は彫刻を施した印面材を装着することで納期短縮や在庫リスクの軽減が図れる。【００１８】請求項６記載の発明は、印面収納台に台座を取り付けた請求項１乃至請求項５の印鑑基材及び印鑑である。【００１９】この発明によれば、印面収納台に台座を取付けることで成形材の取り付けがより簡便に出来るようになる。【００２０】請求項７記載の発明は、印面収納台付成形物が透明な筒体から取り外し可能な請求項１乃至請求項６の印鑑基材及び印鑑である。
これにより筒体の絵柄と印面収納台付成形物とを必要に応じ組み合わせて生産が出来るので、在庫リスクの軽減が図れる。【００２１】請求項８記載の発明は、印面収納台付成形物の成形物が印面収納台や台座から取り外し可能な請求項１乃至請求項７の印鑑基材及び印鑑である。
この発明によれば、印面収納台付成形物の成形物は印面収納台や台座から取り外し可能なため、筒体内に収容できる大きさであれば、他の成形物と何度でも取り替えられるので在庫リスクの軽減が図れる。【００２２】請求項９記載の発明は、印面収納台にキャップを取り付けた請求項１乃至請求項８の印鑑基材及び印鑑である。
これにより押印した後もキャップを被せれば他のものを汚す恐れはない。【００２３】請求項１０記載の発明は筒体の内周面に彩色図柄を施した請求項１乃至請求項９の印鑑基材及び印鑑である。この発明によれば、印鑑を頻繁に使用し、筒体の表面が指の摩擦でこすれても、彩色図柄や成形物は汚損や破損するような不都合が生じることはなくいつまでも綺麗に保てる。【００２４】請求項１１記載の発明は、彩色図柄を施した一端が閉塞された透明な筒体に彩色図柄を施した成形物、又は立体小物や平面状物体を貼付した成形物を挿入したことを特徴とする装飾具である。【００２５】これにより従来にはない製造工程が容易であって、頻繁に使用しても彩色図柄と成形物は汚損されない奥行き感やアクセサリー的要素の強い装飾具を提供できる。
【発明の効果】
【００２６】本発明によれば、印鑑基材は彩色図柄を施した一端が閉塞された透明な筒体と印面収納台付成形物と印面材とを組み立てて形成される。従って自由に各部品を交換して楽しむことも可能である上、資材在庫の圧縮にも効果がある。【００２７】本発明によれば、印面材は合成樹脂に限らず従来の人造印材、牙印材、つの印材、石印材、木質印材、金属印材等の印面材も採用可能である。またキャラクターなどの成形物は筒体の中に挿入されているので、頻繁に印鑑を使用しても汚損や破損する不都合がない。【００２８】本発明によれば簡単に組み立てて生産するので流動性のエポキシ樹脂を使用しない方法であり工程数も少なく、より一層のコスト削減が可能である。また環境衛生上も好ましい。【００２９】本発明によれば、筒体の上端部に絵柄シールを貼付すると一層と見栄えが良くなる。尚、印面と同じ文字や柄や画像を作成して貼付すれば、本来視認できない筈の文字や柄や画像を印鑑の上方向からも視認が可能である。【００３０】本発明によれば、成形物にも彩色図柄を施すと二層になった彩色図柄が、適宜の空間を介して奥行き感をかもし出し、今までにないオリジナル性に富んだものができる。
【発明を実施するための最良の形態】
【００３１】以下各図面で具体例を挙げているが本考案はこれらに限定されるものではない。
図１は本発明に係る印鑑の第一実施形態を示す図であり（イ）は正面図、（ロ）は（イ）のＢ−Ｂ線断面図、（ハ）は（イ）のＡ−Ａの線断面図である。図１に示すように、第一実施形態の印鑑は上端部に凹面があり、絵柄シール９を貼付し、一端が閉塞されている彩色図柄７を施した透明な筒体１に、成形物２が取り外し可能な台座５を装着した印面収納台付成形物４を挿入し、印面収納台３の下端部に浸透タイプの印面材６を設け、その上にキャップ１０を被せている基本構成を備えている。【００３２】また、彩色図柄７は汚損されないようにするため筒体１の内周面に施こした。具体的にはまず筒体１の内周面に粘着性のある高分子材料を塗付する。その中に彩色図柄７を設けた透明シート体を挿入して、裏からしごきながら密着をさせる。そうすると凸レンズ効果があらわれて、あたかも彩色図柄７を筒体１の外周面に施したかのように見える。又前記の加工方法に限定されるものでは無く、水転写紙に絵柄を施して筒体１の内周面に転写しても同様に凸レンズ効果が得られる。【００３３】また、筒体１の中に挿入する成形物２は、流動性以外の有機、無機に拘わらず固体の成形物であれば何でも装着できる。また本実施形態においては取り外し可能な台座５付き成形物２を採用しているが、とりはずせない台座を採用して成形物を接着してもよい。【００３４】また、本実施形態は筒体１の内周面に彩色図柄７を施してある。ここでいう彩色図柄７とは透明シート体上に、色、模様、文字、図形、イラスト、記号、写真、などを単独もしくは組み合わせて創作し施されたものを言う。さらに、彩色図柄７の透明シート体はポリプロピレン・ポリエチレン・その他の合成樹脂シート体なら何でもよい。また、透明シート体に彩色図柄を施す方法は、手書きやインクジェットプリンターやカラーコピー機等を用いる小ロット対応の方法でもよい。また、オフセット印刷やスクリーン印刷を併用しても、単独でもよいが前記の印刷方法に限定されるものではない。【００３５】本実施形態は筒体１の内周面に彩色図柄７を施してあるが、これに限定をされるものではなく、彩色図柄を施すのは筒体１の外周面でもよい。その方法としては直接印刷方式や熱転写フィルムに熱転写用インクで印刷をして、転写をする方法があるが、いずれにしても彩色図柄が汚損されないよう、必要に応じ図柄の上からコ−ティング加工をするのを忘れてはいけない。なお、彩色図柄を施すのは前記の印刷方法に限定されるものではない。【００３６】また、上記筒体１は円筒形状のものを採用しているが円筒形状に限定されるものではなく、楕円形状、多角形状などのものを採用することができる。また本実施形態において筒体１はアクリルの透明樹脂を用いているが、これに限定されるものではなく、透明度が高いものであればほかの物質でもよい。印面収納台付成形物４は本実施形態においては接着して固定しているが、取り外し可能にしても差し支えのないのはもちろんのことである。【００３７】また、本実施形態において筒体１と印面収納台付成形物４はともに彩色図柄７と彩色図柄８を施してあるが、筒体１に彩色図柄を付けただけでもいいのはもちろんのことであるし彩色図柄を施すのに変えて布等を貼り付けても良い。また本実施形態においては印面収納台３に刻面を有する浸透タイプの印面材６を設けたが、下記第二実施例に示すように、印面収納台に彫刻を施した印面材を設けてもよい。【００３８】また、上記絵柄シール９は平面状でも半立体状でも構わない。絵柄シール９の表面に蒸着ポリエステルフィルムの微細片を混入したポッテング用の樹脂で盛上げ加工をして、筒体１の上端部に貼付し加飾することもできる。また本実施形態において、一端が閉塞されている透明な筒体１の上端部に凹面があるがこれに限定されるものではなく、上端部に凹面がなくてもよい。【００３９】図２は、本発明に係る印鑑の第二実施形態を示す図であり（イ）は正面図、（ロ）は（イ）のＤ−Ｄ線断面図、（ハ）は（イ）のＣ−Ｃ線断面図である。図２に示すように、第二実施形態の印鑑は一端が閉塞されている彩色図柄７を施した透明な筒体１１に印面収納台付成形物１４を挿入する。印面収納台１３の下端部には彫刻を施した印面材１６を設け、その上にキャップ２０を被せている基本構成を備えている。該印面収納台付成形物１４とは印面収納台１３にリング１９をはめ、周面上に立体小物１８や平面状物体１５を貼付した成形物１２を装着したものである。【００４０】また、本実施形態において成形物１２は透明アクリルの丸棒を使用しているが、彩色図柄付や箔片入りのものでもよいし、他の形状でも立体小物１８や平面状物体１９が貼付できる形状であればよい。【００４１】また、本実施形態においては成形物１２に透明な合成樹脂の半立体のハート型や角の丸い四角のシ−ルを貼付しているがこれにこだわらずラインスト−ン等のガラス片やビーズでも天然石でも小さな写真シ−ルなど貼付できれば何でもよい。【００４２】さらに、本実施形態において一端が閉塞されている透明な筒体１１の上端部には凹面が無いがこれに限定されるものでは無く、上端部に凹面があって絵柄シールを貼付してもよい。【００４３】前記絵柄シールは平面状でも半立体状でも構わない。【００４４】また、本実施形態において印面収納台１３の下端部に彫刻を施したアクリル製の印面材１６を設けているが、上記第一実施例に示すように刻面を有する浸透タイプの印面材を取り付けてもよい。【００４５】図３は、本発明に係る印鑑の第三実施形態を示す図であり（イ）は正面図、（ロ）は（イ）のＦ−Ｆ線断面図、（ハ）は（イ）のＥ−Ｅ線断面図である。図３に示すように、第三実施形態の印鑑は一端が閉塞され彩色図柄２７を施した透明な筒体２１の中に彩色図柄２８を施した印面収納台付成形物を装着する。印面収納台２３の下端部には彫刻を施した印面材２６を設けている基本構成を備えている。【００４６】本実施形態において印面収納台２３に彫刻を施した印面材２６を設けているが、上記第一実施例に示すように印面収納台２３に刻面を有する浸透タイプの印面材を取り付けてもよい。【００４７】本実施形態においては筒体２１の上端部に凹面があり絵柄シ−ル２９を添付しているが、これに限定されるものではなく、上端部に凹面がなくてもよい。【００４８】本発明は上記実施例にとどまらず、スプーンの柄や傘の柄や化粧筆の柄等筒状態の物に使用することが出来る。
【図面の簡単な説明】
【００４９】
【図１】本発明に係る印鑑の第一実施形態を示す図であり（イ）は正面図、（ロ）は（イ）のＢ−Ｂ線断面図、（ハ）は（イ）のＡ−Ａの線断面図である。
【図２】本発明に係る印鑑の第二実施形態を示す図であり（イ）は正面図、（ロ）は（イ）のＤ−Ｄ線断面図、（ハ）は（イ）のＣ−Ｃ線断面図である。
【図３】本発明に係る印鑑の第三実施形態を示す図であり（イ）は正面図、（ロ）は（イ）のＦ−Ｆ線断面図、（ハ）は（イ）のＥ−Ｅ線断面図である。
【符号の説明】
【００５０】１，１１，２１．．．筒体
２，１２，２２．．．成形物
３，１３，２３．．．印面収納台
４，１４，２４．．．印面収納台付成形物
５．．．台座
６，１６，２６．．．印面材
７，８，１７，２７、２８．．．彩色図柄
９，２９．．．絵柄シール
１０，２０，３０．．．キャップ
１５．．．平面状物体
１８．．．立体小物
１９．．．リング
【図１】
2007152931.tif 000003
【図２】
2007152931.tif 000004
【図３】
2007152931.tif 000005